【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
（ａ）末端結合官能基、
（ｂ）前記末端結合官能基とは異なる少なくとも１種の官能基を含む疎水性リンカー、および
（ｃ）固体担体を含むクロマトグラフィー材料であって、
前記疎水性リンカーが、前記末端結合官能基を前記固体担体と連結させ、
前記クロマトグラフィー材料が、生理的イオン強度でウシアルブミンを結合する能力をもち、
前記クロマトグラフィー材料が以下の一般式Ｉを有する、クロマトグラフィー材料。
【化１】
2007522444.tif 000001
［式中、
Ｒ１、Ｒ２、Ｒ４、およびＲ５は、各出現時に、それぞれ独立にＨ、Ｃ１〜６−アルキル、Ｃ１〜６−アルコキシ、Ｃ１〜６−アルキル−Ｃ１〜６−アルコキシ、アリール、Ｃ１〜６−アルカリル、−ＮＲ'Ｃ（Ｏ）Ｒ''、−Ｃ（Ｏ）ＮＲ'Ｒ''、およびヒドロキシからなる群から選択され、
式中、Ｒ'およびＲ''は、それぞれ独立にＣ１〜６−アルキルから選択され、
式中、Ｒ１およびＲ２のうち１個以下はヒドロキシであり；
Ｒ６は、Ｈ、Ｃ１〜６−アルキル、アリール、Ｃ１〜６−アルカリル、−Ｃ（Ｏ）ＯＨ、−Ｓ（Ｏ）２ＯＨ、および−Ｐ（Ｏ）（ＯＨ）２からなる群から選択され；
Ｒ３およびＲ３'は、それぞれＸおよびＹと一緒に、それぞれ独立に不在であっても存在していてもよく、存在している場合、Ｒ３およびＲ３'は、それぞれ独立にＨ、Ｃ１〜６−アルキル、Ｃ１〜６−アルコキシ、Ｃ１〜６−アルキル−Ｃ１〜６−アルコキシ、アリール、およびＣ１〜６−アルカリルからなる群から選択され、
式中、ＸおよびＹは、互いに独立しており、陰イオンを表し；
ｈｅｔおよびｈｅｔ'は、それぞれ独立に−Ｏ−、−Ｓ−、−Ｓ（Ｏ）−、および−Ｓ（Ｏ）２−からなる群から選択されるヘテロ原子部分であり；
ａ、ａ'、ａ''、およびａ'''は、それぞれ独立に整数０〜６から選択され；
ｂおよびｂ'は、それぞれ独立に０または１であり；
ｃは、０または１であり、ｃが１の場合、（Ｒ３）Ｘは不在であり；
ｄおよびｄ'は、それぞれ独立に０または１であり；
波線は、固体担体を表す。］
【請求項２】
ａ、ａ'、ａ''、およびａ'''のうち少なくとも１個が２である、請求項１に記載のクロマトグラフィー材料。
【請求項３】
さらにａ、ａ'、ａ''、およびａ'''のうち少なくとも１個が３である、請求項１に記載のクロマトグラフィー材料。
【請求項４】
ａ、ａ'、ａ''、およびａ'''のうち少なくとも１個が３である、請求項１に記載のクロマトグラフィー材料。
【請求項５】
ａが３である、請求項４に記載のクロマトグラフィー材料。
【請求項６】
ｈｅｔがＳであり、ｂが１である、請求項５に記載のクロマトグラフィー材料。
【請求項７】
ａ'が２、３、４、５、および６からなる群から選択される、請求項６に記載のクロマトグラフィー材料。
【請求項８】
ｂ'が０である、請求項７に記載のクロマトグラフィー材料。
【請求項９】
ｃおよびｄが両方とも０である、請求項８に記載のクロマトグラフィー材料。
【請求項１０】
ｄ'が１であり、（Ｒ３'）Ｙが不在である、請求項９に記載のクロマトグラフィー材料。
【請求項１１】
ｄ'が１であり、（Ｒ３'）Ｙが存在する、請求項９に記載のクロマトグラフィー材料。
【請求項１２】
ｄ'が０である、請求項９に記載のクロマトグラフィー材料。
【請求項１３】
ｃが１であり、ｄが１である、請求項８に記載のクロマトグラフィー材料。
【請求項１４】
ｄ'が１であり、（Ｒ３'）Ｙが不在である、請求項１３に記載のクロマトグラフィー材料。
【請求項１５】
ｄ'が１であり、（Ｒ３'）Ｙが存在する、請求項１３に記載のクロマトグラフィー材料。
【請求項１６】
Ｒ１およびＲ２が、それぞれ独立にＨおよびＣ１〜６−アルキルから選択される、請求項７に記載のクロマトグラフィー材料。
【請求項１７】
ｄ'が１である、請求項５に記載のクロマトグラフィー材料。
【請求項１８】
Ｒ３'、Ｒ５、およびＲ６が、それぞれ独立にＨ、Ｃ１〜６−アルキル、アリール、およびＣ１〜６−アルカリルからなる群から選択される、請求項１７に記載のクロマトグラフィー材料。
【請求項１９】
Ｒ３'、Ｒ５、およびＲ６が、それぞれ独立にメチルおよびエチルから選択される、請求項１８に記載のクロマトグラフィー材料。
【請求項２０】
ｄ'が０である、請求項５に記載のクロマトグラフィー材料。
【請求項２１】
Ｒ６がＨ、Ｃ１〜６−アルキル、アリール、またはＣ１〜６−アルカリルである、請求項２０に記載のクロマトグラフィー材料。
【請求項２２】
Ｒ６が−Ｃ（Ｏ）ＯＨ、−Ｓ（Ｏ）２ＯＨ、および−Ｐ（Ｏ）（ＯＨ）２である、請求項２０に記載のクロマトグラフィー材料。
【請求項２３】
ａが３であり；
ａ'が２であり；
ｂが１であり；
（ＣＲ１Ｒ２）ａ中のＲ２のうちの１個が場合によってはＯＨである点以外は、（ＣＲ１Ｒ２）ａおよび（ＣＲ１Ｒ２）ａ'中のＲ１およびＲ２がそれぞれＨである、
請求項１に記載のクロマトグラフィー材料。
【請求項２４】
ａ''が３であり；
ａ'''が２であり；
ｂ'が１であり；
（ＣＲ１Ｒ２）ａ''中のＲ２のうちの１個が場合によってはＯＨである点以外は、（ＣＲ１Ｒ２）ａ''および（ＣＲ１Ｒ２）ａ'''中のＲ１およびＲ２がそれぞれＨである、
請求項１に記載のクロマトグラフィー材料。
【請求項２５】
ａが３であり；
ａ'が３であり；
ｂが１であり；
（ＣＲ１Ｒ２）ａおよび（ＣＲ１Ｒ２）ａ'中のＲ１およびＲ２がそれぞれＨである、
請求項１に記載のクロマトグラフィー材料。
【請求項２６】
ａ''が３であり；
ａ'''が３であり；
ｂ'が１であり；
（ＣＲ１Ｒ２）ａ''および（ＣＲ１Ｒ２）ａ'''中のＲ１およびＲ２がそれぞれＨである、
請求項１に記載のクロマトグラフィー材料。
【請求項２７】
ａが３であり；
ａ'が５であり；
ｂが１であり；
（ＣＲ１Ｒ２）ａおよび（ＣＲ１Ｒ２）ａ'中のＲ１およびＲ２がそれぞれＨである、
請求項１に記載のクロマトグラフィー材料。
【請求項２８】
ｂ'が０であり；
ａ''とａ'''のうち一方が２または３であり、他方が０であり；
（ＣＲ１Ｒ２）ａ''および（ＣＲ１Ｒ２）ａ'''中のＲ２のうちの１個が場合によってはＯＨである点以外は、（ＣＲ１Ｒ２）ａ''および（ＣＲ１Ｒ２）ａ'''中のＲ１およびＲ２がそれぞれＨである、
請求項２７に記載のクロマトグラフィー材料。
【請求項２９】
ａまたはａ'が３であり、他方が０であり；
ａ''またはａ'''が３であり；
ｂ、ｂ'、およびｃがそれぞれ０であり； 
ｄが１である、
請求項１に記載のクロマトグラフィー材料。
【請求項３０】
Ｒ１およびＲ２がそれぞれＨであり；
Ｒ３、Ｒ３'、Ｒ４、Ｒ５、およびＲ６が、それぞれ独立にＨ、Ｃ１〜６−アルキル、アリール、およびＣ１〜６−アルカリルからなる群から選択され；
ｈｅｔがＳであり；
ａが３であり；
ａ'が２、３、４、５、および６からなる群から選択され；
ａ''およびａ'''のうち一方が１であり、他方が１または２であり；
ｂが１であり、ｂ'が０である、
請求項１に記載のクロマトグラフィー材料。
【請求項３１】
【化２】
2007522444.tif 000002
からなる群から選択される、請求項１に記載のクロマトグラフィー材料。
【請求項３２】
Ｒ１、Ｒ２、Ｒ４、およびＲ５が、各出現時に、それぞれ独立にＨ、Ｃ１〜６−アルキル、Ｃ１〜６−アルコキシ、Ｃ１〜６−アルキル−Ｃ１〜６−アルコキシ、−ＮＲ'Ｃ（Ｏ）Ｒ''、−Ｃ（Ｏ）ＮＲ'Ｒ''、およびヒドロキシからなる群から選択され、
Ｒ'およびＲ''が、それぞれ独立にＣ１〜６−アルキルから選択され、
Ｒ１およびＲ２のうち１個以下がヒドロキシであり；
Ｒ６が、Ｈ、Ｃ１〜６−アルキル、−Ｃ（Ｏ）ＯＨ、−Ｓ（Ｏ）２ＯＨ、および−Ｐ（Ｏ）（ＯＨ）２からなる群から選択される、請求項１に記載のクロマトグラフィー材料。
【請求項３３】
Ｒ６が、Ｃ１〜６−アルキル、−Ｃ（Ｏ）ＯＨ、−Ｓ（Ｏ）２ＯＨ、および−Ｐ（Ｏ）（ＯＨ）２からなる群から選択される、請求項１に記載のクロマトグラフィー材料。